(57)【要約】【課題】  色変換ＬＵＴを生成するための分光センサにより検出される光の波長を、特別なセンサを用いることなく正確に且つ容易に校正する。【解決手段】  補正の対象となるスレイブの分光反射率４０２と、基準となるマスターの分光反射率４０１とを取得する。分光反射率４０１、４０２の波長ズレ探索範囲４０３において、分光反射率が一定の波長ズレ検出ラインＤＬとの交点を、分光反射率４０１、４０２の夫々について求める。分光反射率４０１と波長ズレ検出ラインＤＬとの交点から、分光反射率４０１で検出された波長を求めると共に、分光反射率４０２と波長ズレ検出ラインＤＬとの交点から、分光反射率４０２の受光素子の画素位置を求める。求めた画素位置と波長との関係に基づいて、スレイブの画素位置と波長との対応関係を示すテーブルを更新する。【選択図】  図６
2011259227.tif 000002
【特許請求の範囲】
【請求項１】
基準となる第１の分光センサによる波長校正試料の測色の結果に基づいて、第１の分光反射率を導出する第１の分光反射率導出工程と、
校正の対象となる第２の分光センサによる前記波長校正試料の測色の結果に基づいて、第２の分光反射率を導出する第２の分光反射率導出工程と、
前記第１の分光反射率と、前記第２の分光反射率の、傾斜している所定の領域における、前記第１の分光反射率と、前記第２の分光反射率との波長のずれを検出する波長ずれ検出工程と、
前記第１の分光反射率と、前記第２の分光反射率との波長のずれに基づいて、前記第２の分光反射率の前記第１の分光反射率に対する波長のずれを補正する波長ずれ補正工程と、を有することを特徴とする波長校正方法。
【請求項２】
前記波長ずれ補正工程は、前記第１の分光反射率から、複数の分光反射率に対応する波長を取得すると共に、前記第２の分光反射率から、当該複数の分光反射率に対応する前記第２の分光センサの受光素子の画素の位置を取得し、取得した波長と画素の位置との関係に基づいて、前記第２の分光センサの受光素子の画素の位置と、波長との関係を導出することによって、前記第２の分光反射率の前記第１の分光反射率に対する波長のずれを補正することを特徴とする請求項１に記載の波長校正方法。
【請求項３】
前記波長ずれ補正工程は、前記取得した波長と画素の位置とに基づいて、前記第２の分光センサの受光素子の画素の位置と、波長との関係を示す多項式近似曲線を導出することを特徴とする請求項２に記載の波長校正方法。
【請求項４】
前記第１の分光反射率導出工程は、基準となる第１の分光センサによる複数の波長校正試料の測色の結果に基づいて、第１の分光反射率を導出し、
前記第２の分光反射率導出工程は、校正の対象となる第２の分光センサによる前記複数の波長校正試料の測色の結果に基づいて、第２の分光反射率を導出することを特徴とする請求項１〜３の何れか１項に記載の波長校正方法。
【請求項５】
前記基準となる第１の分光センサと、前記校正の対象となる第２の分光センサは、共に印刷装置に搭載された同機種の分光センサであることを特徴とする請求項１〜４の何れか１項に記載の波長校正方法。
【請求項６】
前記基準となる第１の分光センサは、印刷装置とは別の基準測色機が備える分光センサであり、
前記校正の対象となる第２の分光センサは、印刷装置に搭載された分光センサであることを特徴とする請求項１〜４の何れか１項に記載の波長校正方法。
【請求項７】
前記波長校正試料は、印刷装置で印刷したパッチ、又は波長校正用チャートであることを特徴とする請求項１〜６の何れか１項に記載の波長校正方法。
【請求項８】
前記パッチは、分光反射率の傾斜している領域の傾きが急峻である高彩度色であることを特徴とする請求項７に記載の波長校正方法。
【請求項９】
基準となる第１の分光センサによる波長校正試料の測色の結果に基づいて、第１の分光反射率を導出する第１の分光反射率導出手段と、
校正の対象となる第２の分光センサによる前記波長校正試料の測色の結果に基づいて、第２の分光反射率を導出する第２の分光反射率導出手段と、
前記第１の分光反射率と、前記第２の分光反射率の、傾斜している所定の領域における、前記第１の分光反射率と、前記第２の分光反射率との波長のずれを検出する波長ずれ検出手段と、
前記第１の分光反射率と、前記第２の分光反射率との波長のずれに基づいて、前記第２の分光反射率の前記第１の分光反射率に対する波長のずれを補正する波長ずれ補正手段と、
前記波長のずれが補正された前記第２の分光反射率に基づいて、色変換ルックアップテーブルを生成又は更新する色変換ルックアップテーブル生成更新手段と、を有することを特徴とする印刷装置。
【請求項１０】
前記波長ずれ補正工程は、前記第１の分光反射率から、複数の分光反射率に対応する波長を取得すると共に、前記第２の分光反射率から、当該複数の分光反射率に対応する前記第２の分光センサの受光素子の画素の位置を取得し、取得した波長と画素の位置との関係に基づいて、前記第２の分光センサの受光素子の画素の位置と、波長との関係を導出することによって、前記第２の分光反射率の前記第１の分光反射率に対する波長のずれを補正することを特徴とする請求項９に記載の印刷装置。
【請求項１１】
前記波長ずれ補正工程は、前記取得した波長と画素の位置とに基づいて、前記第２の分光センサの受光素子の画素の位置と、波長との関係を示す多項式近似曲線を導出することを特徴とする請求項１０に記載の印刷装置。
【請求項１２】
前記第１の分光反射率導出工程は、基準となる第１の分光センサによる複数の波長校正試料の測色の結果に基づいて、第１の分光反射率を導出し、
前記第２の分光反射率導出工程は、校正の対象となる第２の分光センサによる前記複数の波長校正試料の測色の結果に基づいて、第２の分光反射率を導出することを特徴とする請求項９〜１１の何れか１項に記載の印刷装置。
【請求項１３】
前記基準となる第１の分光センサと、前記校正の対象となる第２の分光センサとを共に備えることを特徴とする請求項９〜１２の何れか１項に記載の印刷装置。
【請求項１４】
前記校正の対象となる第２の分光センサを備え、
前記基準となる第１の分光センサは、外部の基準測色機が備える分光センサであることを特徴とする請求項９〜１２の何れか１項に記載の印刷装置。
【請求項１５】
前記波長校正試料は、前記印刷装置で印刷したパッチ、又は波長校正用標準チャートであることを特徴とする請求項９〜１４の何れか１項に記載の印刷装置。
【請求項１６】
前記パッチは、分光反射率の傾斜している領域の傾きが急峻である高彩度色であることを特徴とする請求項１５に記載の印刷装置。
【請求項１７】
前記波長校正試料は、波長校正用標準チャートであり、
前記分光反射率による測色を行うために、前記波長校正用標準チャートを、定着器の動作を止めた状態で搬送する手段と、前記分光反射率による測色を行うために、前記波長校正用標準チャートを、定着器を通さずに搬送する手段と、の何れかを有することを特徴とする請求項１５に記載の印刷装置。
【請求項１８】
基準となる第１の分光センサによる波長校正試料の測色の結果に基づいて、第１の分光反射率を導出する第１の分光反射率導出工程と、
校正の対象となる第２の分光センサによる前記波長校正試料の測色の結果に基づいて、第２の分光反射率を導出する第２の分光反射率導出工程と、
前記第１の分光反射率と、前記第２の分光反射率の、傾斜している所定の領域における、前記第１の分光反射率と、前記第２の分光反射率との波長のずれを検出する波長ずれ検出工程と、
前記第１の分光反射率と、前記第２の分光反射率との波長のずれに基づいて、前記第２の分光反射率の前記第１の分光反射率に対する波長のずれを補正する波長ずれ補正工程と、をコンピュータに実行させることを特徴とするコンピュータプログラム。
【発明の詳細な説明】
【技術分野】
【０００１】
本発明は、波長校正方法、印刷装置、及びコンピュータプログラムに関し、特に、印刷装置において、色変換ルックアップテーブルを生成・更新するための分光センサにより検出される光の波長を校正するために用いて好適なものである。
【背景技術】
【０００２】
従来から、プリンタに代表される印刷装置では、所望の色を出力するために色変換ルックアップテーブル（以下「ＬＵＴ」と称する）が用いられている。色変換ＬＵＴには、プリンタをある一定の状態に保つためのキャリブレーションに用いるＬＵＴや、ＩＣＣプロファイルに代表されるカラーマッチングに用いるＬＵＴ等がある。
最近のプリンタには、プリンタエンジン内に分光カラーセンサを内蔵している機種がある。このようなプリンタは、印刷ジョブの実行前、或いは印刷ジョブの実行中に、例えばIT8 7/3等の色票（以下「パッチ」と称する）を印刷し、内蔵している分光カラーセンサでパッチを測色している。そして、その測色の結果を色変換ＬＵＴの生成のためにフィードバックしている。これにより外部の測色センサを用いることなく、プリンタの内部の処理でカラーマッチング及び印字色の安定化が可能になっている。
【０００３】
カラーマッチング及び印字色の安定化を高精度に実現する上で、プリンタに内蔵される分光カラーセンサが、高精度に測色を行うことが求められる。そのため、センサ機種間の誤差や経時変化による誤差が無視できない。センサ機種間の誤差には、分光カラーセンサの製造時ばらつきによる「同機種のセンサ間の誤差（個体差）」や、センサ間の光学条件（ジオメトリー）の違い等による「異機種のセンサ間の誤差差」がある。これらのうち、同機種のセンサ間の誤差は、特に、分光カラーセンサを複数個搭載するプリンタで問題となる。すなわち、複数の分光カラーセンサで同じ色を測っても個体毎の出力値が異なるという問題点がある。また、経時変化による誤差では、センサボディの歪みや回折格子の熱膨張等でセンサ光学系が変化し、過去の出力状態とのズレが生じ問題となる。
以上の理由から、分光カラーセンサ機種間の誤差や経時変化による誤差を低減させる技術が求められている。また、センサ機種間の誤差は分光反射率でみると、大きく２種類に分けられる。一つが分光反射率の波長軸のズレ（横軸ズレ）であり、もう一つが分光反射率軸のズレ（縦軸ズレ）である。図９に、第１の分光反射率９０１と第２の分光反射率９０２との波長軸のズレδの一例を概念的に示す。
【０００４】
通常は、このような分光カラーセンサの波長軸を校正する場合、工場等で、校正用光源の輝線を用いてセンサ個体毎に、分光反射率の波長軸のズレ（以下、必要に応じて「波長ズレ」と称する）の調整を行う。しかし、工場での調整では取り除けない「同機種のセンサ間の誤差」が分光カラーセンサに残ってしまう。また、プリンタに分光カラーセンサを組み込んで製品を出荷してしまうと、経時変化の補正を行う場合には、分光カラーセンサを一度取り外し、工場で再度調整することが必要となり、非常に手間がかかってしまう。
そこで、特許文献１では、分光カラーセンサの内部に波長校正用のＬＥＤ単色光源を持たせることで、分光カラーセンサ自身で波長を校正できるようにしている。波長校正用のＬＥＤ単色光源が持つ輝線の絶対量をもとに、複数の分光カラーセンサの波長軸をあわせることで、分光カラーセンサの個体差と、経時変化とを補正する。
さらに、分光カラーセンサの波長校正用のアルゴリズムとして、以下の従来技術が挙げられる。
特許文献２では、２つの分光反射率（基準スペクトルと補正対象スペクトル）を比較し、最適化手法を使って、分光カラーセンサの波長のシフト量を算出している。また、特許文献３では、２つの分光反射率（基準スペクトルと補正対象スペクトル）の傾斜領域に着目し、その傾斜領域における傾きを利用して、各傾斜領域での補正係数を算出している。
【先行技術文献】
【特許文献】
【０００５】
【特許文献１】特開２００８−１８５５６５号公報
【特許文献２】特開平８−１５１３４号公報
【特許文献３】特開２００６−２１４９６８号公報
【発明の概要】
【発明が解決しようとする課題】
【０００６】
しかしながら、特許文献１に記載の技術では、通常の光源とは別の光源を持つ必要があるため、分光カラーセンサの構成が複雑になると共に分光カラーセンサのコストアップに繋がっていた。
また、特許文献２に記載の技術では、２つの分光反射率に対し、全波長領域で最適化を行うため、分光反射率の軸ズレ（縦軸ズレ）がある場合、分光反射率の波長を高精度に補正することが難しい。さらに、特許文献２に記載の技術では計算が複雑であり簡便性に欠けていた。
また、特許文献３に記載の技術では、分光反射率の各傾斜領域でのノイズの影響を受けやすいという問題があった。
本発明は以上の問題に鑑みてなされたものであり、印刷装置で所望の色を出力するために使用される色変換ＬＵＴを生成するための分光センサにより検出される光の波長を、特別なセンサを用いることなく正確に且つ容易に校正することを目的とする。
【課題を解決するための手段】
【０００７】
本発明の波長校正方法は、基準となる第１の分光センサによる波長校正試料の測色の結果に基づいて、第１の分光反射率を導出する第１の分光反射率導出工程と、校正の対象となる第２の分光センサによる前記波長校正試料の測色の結果に基づいて、第２の分光反射率を導出する第２の分光反射率導出工程と、前記第１の分光反射率と、前記第２の分光反射率の、傾斜している所定の領域における、前記第１の分光反射率と、前記第２の分光反射率との波長のずれを検出する波長ずれ検出工程と、前記第１の分光反射率と、前記第２の分光反射率との波長のずれに基づいて、前記第２の分光反射率の前記第１の分光反射率に対する波長のずれを補正する波長ずれ補正工程と、を有することを特徴とする。
【発明の効果】
【０００８】
本発明によれば、基準となる第１の分光センサによる測色の結果に基づく第１の分光反射率と、校正の対象となる第２の分光センサによる測色の結果に基づく第２の分光反射率の、傾斜している所定の領域における波長のずれを検出する。その波長のずれに基づいて、第２の分光反射率の第１の分光反射率に対する波長のずれを補正するようにした。したがって、印刷装置で所望の色を出力するために使用される色変換ルックアップテーブルを生成・更新するための分光センサにより検出される光の波長を、特別なセンサを用いることなく正確に且つ容易に校正することができる。
【図面の簡単な説明】
【０００９】
【図１】プリンタ装置の構成を示す図である。
【図２】第２の実施形態の波長校正シーケンスを説明するフローチャートである。
【図３】分光カラーセンサがパッチを測色する様子を示す図である。
【図４】分光反射率を示す図である。
【図５】波長校正処理（波長校正アルゴリズム）を説明するフローチャートである。
【図６】分光反射率の波長ズレを検出する方法を説明する図である。
【図７】多項式近似曲線を示す図である。
【図８】第２の実施形態の波長校正シーケンスを説明するフローチャートである。
【図９】２つの分光反射率との波長軸のズレを示す図である。
【発明を実施するための形態】
【００１０】
以下、図面を参照しながら、本発明の実施形態について説明する。
（第１の実施形態）
まず、本発明の第１の実施形態について説明する。
「概要」
本実施形態では、電子写真方式プリンタに内蔵された２つの分光カラーセンサの個体差、特に、波長軸のズレを補正する場合について説明する。本実施形態では、２つの分光カラーセンサのうち、片方をマスター、もう片方をスレイブとし、スレイブの分光反射率（補正対象）をマスターの分光反射率（基準）に合わせ込む処理を行う。以下、プリンタの構成、分光カラーセンサの波長校正シーケンス、波長校正アルゴリズムの詳細の順に説明する。
【００１１】
「プリンタの構成」
図１は、本実施形態におけるプリンタ装置の構成の一例を示すブロック図である。
プリンタ装置１の機能部位は、大きく分けてコントローラ部１１とエンジン部１２とに分けられる。
コントローラ部１１には、カラーマッチング部１１１と、キャリブレーション部１１２と、キャリブレーション用ＬＵＴ生成部１１３と、カラーマッチング用ＬＵＴ生成部１１４とがある。尚、コントローラ部１１には、その他、画像処理に関する様々な機能部位が存在するが、ここでは、本実施形態に直接関係しないものについての説明を省略する。
【００１２】
カラーマッチング部１１１は、ＩＣＣプロファイルに代表されるようなカラーマッチング用ＬＵＴ１１１１を使用した色調整を行う。カラーマッチング用ＬＵＴ生成部１１４では、測色値１２３２を用いて、カラーマッチング用ＬＵＴ１１１１を生成する。キャリブレーション部１１２は、CMYKそれぞれ一次元のＬＵＴに代表されるようなキャリブレーション用ＬＵＴ１１２１を使用して、印刷状態を一定に保つための画像補正（キャリブレーション）を行う。キャリブレーション用ＬＵＴ生成部１１３は、測色値１２３２を用いて、キャリブレーション用ＬＵＴ１１２１を生成する。本実施形態では、カラーマッチング用ＬＵＴ１１１１と、キャリブレーション用ＬＵＴ１１２１とが色変換ルックアップテーブルとなる。
【００１３】
一方、エンジン部１２には、定着部１２１と、分光カラーセンサ１２２ａ、１２２ｂと、センサ信号処理部１２３とがある。尚、エンジン部１２には、その他、紙等のメディアに画像を形成するための様々な機能部位が存在するが、ここでは、本実施形態に直接関係しないものについての説明を省略する。
定着部１２１は、ローラと、ベルトと、ハロゲンヒータ等の熱源とを内蔵し、熱と圧力とによって、トナーを溶解し、メディアへ定着させる。２つの分光カラーセンサ１２２ａ、１２２ｂは、定着部１２１から排紙口への搬送経路に設置されており、搬送されたメディア上のパッチを測色する。本実施形態では、２つの分光カラーセンサ１２２ａ、１２２ｂは、メディア（紙）の搬送方向に対して直角な水平方向（紙面に沿った方向）に間隔を有して並んで設置されているとする。それぞれの分光カラーセンサ１２２ａ、１２２ｂでの測色データは、センサ信号処理部１２３に送られる。センサ信号処理部１２３は、測色データを測色値１２３２（例えばCIE L*a*b*）に変換する。また、センサ信号処理部１２３では、波長校正部１２３１において、後述する波長校正アルゴリズムに基づき波長校正処理が行われる。この波長校正処理により、波長ズレが補正された測色値１２３２は、キャリブレーション用ＬＵＴ生成部１１３、カラーマッチング用ＬＵＴ生成部１１４に送信される。
【００１４】
本実施形態のプリンタ装置１は、印刷ジョブの実行前や印刷ジョブの実行中に、キャリブレーション用のパッチをメディア（紙）に出力し、内蔵の分光カラーセンサ１２２ａ、１２２ｂで測色する。そして、プリンタ装置１は、測色した値に基づいてキャリブレーション用ＬＵＴ１１２１を作成・更新する。これにより色再現性を一定に保っている。また、本実施形態のプリンタ装置１は、印刷ジョブの実行前に、カラーマッチング用のパッチをメディア（紙）に出力し、内蔵の分光カラーセンサ１２２ａ、１２２ｂで測色する。そして、プリンタ装置１は、測色した値に基づいて、カラーマッチング用ＬＵＴ１１１１を作成・更新する。これによりプリンタ装置間の色味の違いを吸収している。
尚、プリンタ装置１に、分光カラーセンサ１２２を２つ搭載している理由は、分光カラーセンサ１２２による測色時間の短縮と、プリンタ装置１から出力される用紙の数の削減とを図るためである。ただし、プリンタ装置１に搭載する分光カラーセンサ１２２の数は２つに限定されず、１つであっても、３つ以上であってもよい。
また、キャリブレーション用ＬＵＴ１１２１とカラーマッチング用ＬＵＴ１１１１の更新のタイミングは、予め設定された内容に基づいて決定することができる。例えば、印刷ジョブを受信する度に、キャリブレーション用ＬＵＴ１１２１と、カラーマッチング用ＬＵＴ１１１１とを更新することができる。
【００１５】
後述する波長ズレ補正処理は、キャリブレーションと、カラーマッチングの実施前に行われる処理であり、分光カラーセンサ１２２ａ、１２２ｂの測色精度を高める目的で行われる。本実施形態の波長ズレ補正処理では、前述したＬＵＴ作成用パッチ（キャリブレーション用のパッチ、カラーマッチング用のパッチ）とは別に、波長校正用パッチを印刷し、その測色の結果に基づいて、分光反射率の波長ズレを検出して補正する。
尚、波長校正用にパッチを用意せずに、ＬＵＴ作成用パッチの測色結果を用いて、波長校正処理を行う構成であってもよい。
【００１６】
「波長校正シーケンス」
本実施形態における分光カラーセンサ１２２ａ、１２２ｂの波長校正シーケンスについて説明する。本実施形態では、波長校正処理で分光カラーセンサ１２２ａ、１２２ｂの個体間に残る微小な誤差を低減する。
図２は、本実施形態における波長校正シーケンスの一例を説明するフローチャートである。
まず、ステップＳ２０１において、プリンタ装置１は、波長校正用パッチを印刷する。後述するアルゴリズムで、分光反射率の傾斜領域を使用するため、それぞれの分光カラーセンサ１２２ａ、１２２ｂで測色された波長校正用パッチの分光反射率が急峻な傾斜を持つ必要がある。したがって、例えば、高彩度なパッチ（高彩度色のパッチ）を波長校正用パッチとして用いるのが好ましい。
【００１７】
また、本実施形態では、波長校正用パッチを複数個、同一のメディア（紙）に印刷し、各波長校正用パッチの分光反射率の傾斜領域（立ち上がり領域又は立ち下がり領域）の波長ズレから、任意の波長領域での波長の補正量を算出する。そのため、波長ズレの補正を高精度に行うには、広い波長範囲で波長ズレを検出する必要がある。したがって、各傾斜領域が、プリンタ装置１で対応している全波長にわたって分散している必要がある。
図３は、分光カラーセンサ１２２ａ、１２２ｂが、波長校正用パッチ３０１ａ〜３０１ｄを測色する様子の一例を概念的に示す図である。また、図４は、分光カラーセンサ１２２ａ、１２２ｂによる波長校正用パッチ３０１ａ〜３０１ｄの測色の結果から得られる分光反射率４０１、４０２の一例を示す図である。
【００１８】
ここでは、図３及び図４に示すように、分光反射率４０１、４０２の急峻な箇所が、それぞれ、４００ｎｍ付近、５００ｎｍ付近、５５０ｎｍ付近、６００ｎｍ付近にある波長校正用パッチ３０１ａ、３０１ｂ、３０１ｃ、３０１ｄを用いる。そして、搬送方向Ｔに搬送される紙３０２に印刷された４つの波長校正用パッチ３０１ａ〜３０１ｄを、測色ライン３０３ａ、３０３ｂに沿って測色する。そして、その測色の結果から得られる分光反射率４０１、４０２の傾斜領域のうち所定の領域を波長ズレ探索範囲４０３ａ〜４０３ｄとして利用する。このようにすることによって、４００ｎｍ〜６００ｎｍの広い波長範囲で波長ズレを検出することができる。また、トナーパッチを測色する場合、CMYK各色の配合割合により図４に示すような波長領域（４００ｎｍ、５００ｎｍ、５５０ｎｍ、６００ｎｍ）で、分光反射率に傾斜領域が得られる。このため、ここでは、これらの傾斜領域が得られる４つの波長校正用パッチ３０１ａ〜３０１ｄを用いることにした。
【００１９】
図２の説明に戻り、ステップＳ２０２において、分光カラーセンサ１２２ａ、１２２ｂは、ステップＳ２０１で印刷され、分光カラーセンサ１２２ａ、１２２ｂの測色位置に搬送された波長校正用パッチ３０１ａ〜３０１ｄを測色する。このとき、図３に示すように、２つの分光カラーセンサ１２２ａ、１２２ｂで同じ波長校正用パッチ３０１を同時に測色する。波長ズレの検出に使用する傾斜領域の数だけパッチを測色する。図３及び図４に示す例では、パッチの数は４つである。
次に、ステップＳ２０３において、波長校正部１２３１は、ステップＳ２０２で得られた測色値（分光反射率）をもとに、分光カラーセンサ１２２ｂの波長の校正（波長校正処理）を行う。ここでは、２つの分光カラーセンサ１２２ａ、１２２ｂのうち、片方の分光カラーセンサ１２２ａをマスター、もう片方の分光カラーセンサ１２２ｂをスレイブとする。そして、スレイブの測色結果から得られる分光反射率４０２（補正対象）を、マスターの測色結果から得られる分光反射率４０１（基準スペクトル）に合わせ込む処理を行う。本実施形態では、この処理に、以下の波長校正アルゴリズムを使用することにする。
【００２０】
「波長校正アルゴリズム」
図５は、ステップＳ２０３の波長校正処理（波長校正アルゴリズム）の一例を説明するフローチャートである。
まず、ステップＳ５０１において、波長校正部１２３１は、パラメータの初期設定を行う。ここでは、検出する分光反射率４０１、４０２の傾斜領域の合計数Ｎを４に、傾斜カウントｎを１にそれぞれ設定する。傾斜カウントｎは、検出した傾斜領域の数を表す。
【００２１】
次に、ステップＳ５０２において、波長校正部１２３１は、ステップＳ２０２で得た測色の結果に基づく分光反射率４０１、４０２の傾斜領域での波長ズレを検出する。
ここで、分光カラーセンサ１２２の受光素子の画素位置と、受光素子で検出される光の波長との関係について説明する。一般に、分光カラーセンサでは、測定対象物からの反射光を、回折格子で波長毎に分解したうえで、受光素子（ラインセンサ）で検出する。受光素子が検出する光の波長は、受光素子の画素毎に異なるため、画素位置（画素番号）と、検出した波長との対応関係を表すテーブルが必要となる。このテーブルは、分光反射率の波長軸（横軸）を定義するものである。よって、このテーブルを変更することで波長軸のズレ（波長ズレ）を補正することが可能になる。したがって、本実施形態の波長校正アルゴリズムでは、スレイブとなる分光カラーセンサ１２２ｂの前記テーブルを作成し直し、更新することで波長ズレを補正する。
【００２２】
図６は、分光カラーセンサ１２２ｂの分光反射率４０２の波長ズレを検出する方法の一例を説明する図である。図６では、図６（ａ）に示すように、分光反射率４０２ｃの波長ズレを検出する場合を例に挙げて説明する。ここで、図６（ｂ）は、スレイブとなる分光カラーセンサ１２２ｂの分光反射率４０２ｃと、波長ズレ検出ラインＤＬ１〜ＤＬ５との交点を示す図である。一方、図６（ｃ）は、マスターとなる分光カラーセンサ１２２ａの分光反射率４０１ｃと、波長ズレ検出ラインＤＬ１〜ＤＬ５との交点を示す図である。
図６（ａ）に示すように、使用する傾斜領域（波長ズレ探索範囲４０３ｃ）は、波形のなまりが少ない傾斜領域の中央付近の領域とすればよい。
【００２３】
ステップＳ５０２において、波長校正部１２３１は、傾斜領域内を通過するように、分光反射率が一定の波長ズレ検出ラインＤＬ（Detect Line）を定め、その波長ズレ検出ラインＤＬ上での波長ズレを検出する。まず、波長校正部１２３１は、図６に示すように、波長ズレ検出ラインＤＬを設定する。図６に示す例では、波長校正部１２３１は、５つの波長ズレ検出ラインＤＬ１〜ＤＬ５を、分光反射率４０１ｃ、４０２ｃに対して設定する。次に、波長校正部１２３１は、マスターとスレイブの分光反射率４０１、４０２と波長ズレ検出ラインＤＬとの交点を算出する。尚、分光反射率４０１、４０２は、実際には離散的である。このため、波長校正部１２３１は、得られた分光反射率４０１、４０２のデータを使って必要なデータの補間処理等を行って、分光反射率４０１、４０２と波長ズレ検出ラインＤＬとの交点を求める。
【００２４】
次に、波長校正部１２３１は、図６（ｂ）に示すように、スレイブの分光反射率４０２と波長ズレ検出ラインＤＬとの交点から、画素位置を算出する。また、波長校正部１２３１は、図６（ｃ）に示すように、マスターの分光反射率４０１と波長ズレ検出ラインＤＬとの交点から、受光素子で検出された波長を算出する。そして、波長校正部１２３１は、算出した画素位置と波長とを、１対１で対応付ける。このような処理を全ての波長ズレ検出ラインＤＬ１〜ＤＬ５について繰り返し行う。以上の操作は、波長ズレ検出ラインＤＬ上で、マスターの波長ズレがないと仮定したときの画素位置と波長との対応関係を算出するものである。ここでは、ステップＳ５０２の処理を行うことによって、傾斜領域でのスレイブの波長ズレを検出する。
【００２５】
次に、ステップＳ５０３において、波長校正部１２３１は、傾斜カウントｎが、検出する分光反射率４０１、４０２の傾斜領域の合計数Ｎ未満であるか否かを判定する。この判定の結果、傾斜カウントｎが、傾斜領域の合計数Ｎ未満である場合には、ステップＳ５０４に進み、波長校正部１２３１は、傾斜カウントｎに１を加算してステップＳ５０２に戻る。そして、傾斜カウントｎに対応する傾斜領域（波長ズレ探索範囲４０３）でのスレイブの波長ズレを検出する。図３及び図４に示した例では、ステップＳ５０２の処理を４回行うことになる。
【００２６】
一方、傾斜カウントｎが、傾斜領域の合計数Ｎに達した場合には、全ての傾斜領域（波長ズレ探索範囲４０３）でのスレイブの波長ズレを検出し終えたので、次のステップＳ５０５に進む。
ステップＳ５０５に進むと、波長校正部１２３１は、ステップＳ５０１〜Ｓ６０４の処理で検出した波長ズレに基づいて、任意画素での波長を算出する。具体的に、波長校正部１２３１は、ステップＳ５０２で得られた「画素位置と波長との対応関係」から、任意の画素位置と波長との関係を算出する。図３、図４、及び図６に示した例では、画素位置と波長との対応関係を示すプロットが、１つの傾斜領域（波長ズレ探索範囲４０３）につき５個、すなわち２０個（＝４×５）得られる。そこで、本実施形態では、波長校正部１２３１は、この２０個のプロットから、最小二乗法等の手法を用いて、多項式近似曲線を算出する。図７は、画素位置と波長との対応関係を示すプロットから算出される多項式近似曲線７０１の一例を示す図である。これにより、波長ズレ誤差が最小となる任意の画素位置と波長の関係が得られる。このようにすることによって、マスターの分光反射率４０１で波長ズレがないと仮定した場合の、スレイブの受光素子の任意の画素位置と波長との関係が得られる。以上のようなステップ６０５の処理を行うことによって、任意の波長でのスレイブの波長ズレを補正する。
【００２７】
次に、ステップＳ５０６において、波長校正部１２３１は、ステップＳ５０５で求めた画素位置と波長との対応関係を示すテーブルを、既存のテーブルと置き換えることで、スレイブの波長ズレを補正することができる。
【００２８】
以上のように本実施形態では、分光反射率の波長軸の補正の対象となるスレイブ（分光カラーセンサ１２２ｂ）の分光反射率４０２と、基準となるマスター（分光カラーセンサ１２２ａ）の分光反射率４０１とを取得する。そして、分光反射率４０１、４０２の傾斜領域（波長ズレ探索範囲４０３）において、分光反射率が一定の波長ズレ検出ラインＤＬ１〜ＤＬ５との交点を、分光反射率４０１、４０２の夫々について求める。そして、分光反射率４０１と波長ズレ検出ラインＤＬ１〜ＤＬ５との交点から、分光反射率４０１で検出された波長を求める。また、分光反射率４０２と波長ズレ検出ラインＤＬ１〜ＤＬ５との交点から、分光反射率４０２の受光素子の画素位置を求める。そして、求めた画素位置と波長とから、分光カラーセンサ１２２ｂにおける画素位置と波長との関係を示す多項式近似曲線７０１を求め、スレイブの画素位置と波長との対応関係を示すテーブルの内容を更新（又は生成）する。よって、マスターに対するスレイブの波長ズレを、特別なセンサを用いたり、複雑な処理を行ったりすることなく正確に補正することができ、同機種の分光カラーセンサ間の測定誤差を低減することができる。また、分光反射率４０１、４０２の分光反射率軸（縦軸）ズレの影響を受けにくく、且つ、個々の分光反射率４０１、４０２の傾斜領域でのノイズの影響を受けにくいため、高い補正精度で波長の校正を行える。
尚、以上の波長校正処理は、分光カラーセンサ１２２の内部での信号処理モジュールで行われるものとするが、その他の演算モジュールで行うようにしてもよい。また、以上の波長校正処理のアルゴリズムは、一例を示すものであり、本発明を逸脱しない範囲であれば他の手法であっても構わない。
【００２９】
尚、本実施形態では、例えば、波長校正部１２３１（ステップＳ５０２）によって第１の分光反射率導出手段、第２の分光反射率導出手段、波長ずれ検出手段の一例が実現される。また、例えば、波長校正部１２３１（ステップＳ５０５、Ｓ５０６）によって波長ずれ補正手段の一例が実現される。また、キャリブレーション用ＬＵＴ生成部１１３と、カラーマッチング用ＬＵＴ生成部１１４とによって、色変換ルックアップテーブル生成更新手段の一例が実現される。また、例えば、波長校正用パッチ３０１によって波長校正試料の一例が実現される。また、例えば、分光反射率４０１によって第１の分光反射率の一例が実現され、分光反射率４０２によって第２の分光反射率の一例が実現される。また、例えば、分光カラーセンサ１２２ａによって基準となる第１の分光センサの一例が実現され、分光カラーセンサ１２２ｂによって校正の対象となる第２の分光センサの一例が実現される。
【００３０】
（第２の実施形態）
次に、本発明の第２の実施形態について説明する。第１の実施形態では、プリンタ装置１に内蔵される２つの分光カラーセンサ１２２ａ、１２２ｂの個体差の補正（分光反射率の波長軸のズレの補正）を、分光カラーセンサ１２２ａの分光反射率４０１を基準として行う場合を例に挙げて説明した。これに対し、本実施形態では、プリンタ装置に内蔵される各分光カラーセンサの測色値から得られる分光反射率を、プリンタ装置の外部の基準測色機の測色値から得られる分光反射率に合わせ込んで、分光反射率の波長軸のズレを補正する。このように本実施形態と第１の実施形態とは、基準となる分光反射率に係る部分が主として異なる。したがって、本実施形態の説明において、第１の実施形態と同一の部分については、図１〜図６に付した符号と同一の符号を付す等して詳細な説明を省略する。
【００３１】
図８は、本実施形態における波長校正シーケンスの一例を説明するフローチャートである。
まず、ステップＳ９０１において、プリンタ装置は、波長校正用パッチ３０１ａ〜３０１ｄを印刷する。
次に、ステップＳ９０２において、分光カラーセンサ１２２ａ、１２２ｂは、ステップＳ２０１で印刷され、分光カラーセンサ１２２ａ、１２２ｂの測色位置に搬送された波長校正用パッチ３０１ａ〜３０１ｄを測色する。ステップＳ８０１、Ｓ９０２の処理は、図２のステップＳ２０１、３０２と同じである。
【００３２】
次に、ステップＳ９０３において、プリンタ装置から出力された波長校正用パッチ３０１ａ〜３０１ｄを、プリンタ装置とは別体の基準測色機（が備える分光カラーセンサ）で測定する。この波長校正用パッチ３０１ａ〜３０１ｄは、ステップＳ９０２で使用したものと同じものである。
ここで、プリンタ装置に内蔵された分光カラーセンサ１２２の場合には、センサ信号処理部１２３において、分光カラーセンサ１２２からの生データを加工することにより、分光反射率を得る。これに対し、外部の基準測色機の場合には、付属のＰＣアプリケーションソフトウェア等を用いることにより分光反射率が直接得られる。
【００３３】
次に、ステップＳ９０４において、波長校正部は、ステップＳ９０２、Ｓ９０３の処理で得られた測色値（分光反射率）をもとに、分光カラーセンサ１２２ａ、１２２ｂの波長ズレの補正を行う。本実施形態では、外部の基準測色機をマスターとし、分光カラーセンサ１２２ａ、１２２ｂをスレイブとする。そして、外部の基準測色機での測色値から得られた分光反射率を基準のスペクトルとし、分光カラーセンサ１２２ａ、１２２ｂの測色値から得られた分光反射率を補正対象とする。そして、分光カラーセンサ１２２ａ、１２２ｂの測色値から得られた分光反射率のそれぞれについて、外部の基準測色機での測色値から得られた分光反射率に合わせ込む波長校正処理を行う。波長校正処理の詳細は、第１の実施形態の波長校正処理と同じである（図５を参照）。ただし、分光カラーセンサ１２２ａ、１２２ｂの測色値から得られた分光反射率のそれぞれについて、図５のフローチャートの処理を行う。
【００３４】
波長校正処理の結果、分光カラーセンサ１２２ａ、１２２ｂの分光反射率４０１、４０２と、外部の基準測色機の分光反射率との波長ズレが補正される。したがって、分光カラーセンサ１２２ａ、１２２ｂの分光反射率４０１、４０２の波長軸のそれぞれを基準測色機の分光反射率の波長軸に合わせることができる。これにより、第１の実施形態で説明した効果に加え、次の効果が得られる。すなわち、外部の基準測色機の分光反射率を基準にすることができる。分光カラーセンサ１２２ａ、１２２ｂの経時変化による波長ズレも補正できる。また、波長軸の絶対値を合わせることができるため、異機種のプリンタ装置間で統一的な波長ズレの補正が可能になる。また、プリンタ装置に内蔵される２つの分光カラーセンサ１２２ａ、１２２ｂの分光反射率４０１、４０２の何れもが波長ズレを起こしている場合であっても、波長ズレを補正することができる。
尚、本実施形態においても、第１の実施形態で説明した種々の変形例を採用することができる。
また、本実施形態では、例えば、基準測色機（が備える分光カラーセンサ）によって基準となる分光カラーセンサの一例が実現され、分光カラーセンサ１２２ａ、１２２ｂによって校正の対象となる分光カラーセンサの一例が実現される。
【００３５】
（第３の実施形態）
次に、本発明の第３の実施形態について説明する。第１、第２の実施形態では、プリンタ装置から出力された波長校正用パッチ３０１を、プリンタ装置に内蔵の分光カラーセンサ１２２や外部の測色基準機で測色し、補正対象の分光反射率の波長軸を基準となる分光反射率に合わせ込んで波長ズレを補正した。しかしながら、分光カラーセンサ１２２や外部の測色基準機で測色されるパッチは、面内でのムラ等に起因する誤差をもつ。そこで、本実施形態では、波長校正用パッチ３０１を印刷する代わりに、色安定が補償された波長校正用標準チャート（波長校正用チャート）をプリンタ装置内に搬送し、それを測色する。このように、本実施形態と第１、第２の実施形態とでは、使用するパッチに係る部分が異なる。したがって、本実施形態の説明において、第１、第２の実施形態と同一の部分については、図１〜図８に付した符号と同一の符号を付す等して詳細な説明を省略する。
【００３６】
本発明の波長校正シーケンスは、図２及び図８のステップＳ２０１、Ｓ９０１の代わりに、次の処理を行う。すなわち、プリンタ装置は、波長校正用標準チャートを取り込む。この際、プリンタ装置は、波長校正用標準チャートが定着器（定着部１２１）の熱を受けないように、波長校正用標準チャートが搬送されているときには定着器の動作を止めたり、波長校正用標準チャートが定着器を通らないパスを通るようにしたりする。
以上のように本実施形態では、波長校正標準チャートを使用することにより、第１、第２の実施形態よりも高精度に波長ズレの補正を行うことが可能になる。
尚、本実施形態では、例えば、波長校正用標準チャートによって波長校正試料の一例が実現される。
【００３７】
尚、前述した実施形態は、何れも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【００３８】
（その他の実施例）
本発明は、以下の処理を実行することによっても実現される。即ち、まず、以上の実施形態の機能を実現するソフトウェア（コンピュータプログラム）を、ネットワーク又は各種記憶媒体を介してシステム或いは装置に供給する。そして、そのシステム或いは装置のコンピュータ（又はＣＰＵやＭＰＵ等）が当該コンピュータプログラムを読み出して実行する。
【符号の説明】
【００３９】
１  プリンタ装置、１２２  分光カラーセンサ、１２３１  波長校正部
【図１】
2011259227.tif 000003
【図２】
2011259227.tif 000004
【図３】
2011259227.tif 000005
【図４】
2011259227.tif 000006
【図５】
2011259227.tif 000007
【図６】
2011259227.tif 000008
【図７】
2011259227.tif 000009
【図８】
2011259227.tif 000010
【図９】
2011259227.tif 000011
【手続補正書】
【提出日】平成23年8月11日(2011.8.11)
【手続補正１】
【補正対象書類名】特許請求の範囲
【補正対象項目名】全文
【補正方法】変更
【補正の内容】
【特許請求の範囲】
【請求項１】
基準となる第１の分光センサによる、媒体上に形成されている複数の波長校正試料の測色の結果に基づいて、前記複数の波長校正試料それぞれについて第１の分光反射率を導出する第１の分光反射率導出工程と、
校正の対象となる第２の分光センサによる、前記媒体上に形成されている複数の波長校正試料の測色の結果に基づいて、前記複数の波長校正試料それぞれについて第２の分光反射率を導出する第２の分光反射率導出工程と、
前記複数の波長校正試料それぞれについて、前記第１の分光反射率と前記第２の分光反射率との傾斜している傾斜領域を特定する特定工程と、
前記複数の波長校正試料それぞれについて、前記特定工程により特定された傾斜領域内を通過する、前記第１の分光反射率と前記第２の分光反射率との波長ずれを検出するための複数の検出ラインを定める定義工程と、
前記複数の波長校正試料それぞれについて、前記定義工程で定められた複数の検出ラインに沿って、前記第１の分光反射率と、前記第２の分光反射率との波長のずれを検出する波長ずれ検出工程と、
前記波長ずれ検出工程により検出された複数の波長のずれに基づいて、前記第２の分光センサにより測色される分光反射率の、前記第１の分光センサにより測色される分光反射率に対する波長のずれを補正する波長ずれ補正工程と、を有し、
前記波長ずれ検出工程は、前記第１の分光反射率と、前記複数の検出ラインとの交点から前記第１の分光センサの受光素子で検出された波長を求めると共に、前記第２の分光反射率と、前記複数の検出ラインとの交点から、前記第２の分光センサの受光素子の画素の位置を求め、求めた波長と画素の位置との関係を前記複数の波長校正試料それぞれについて導出し、
前記波長ずれ補正工程は、前記波長ずれ検出工程により導出された、前記複数の波長校正試料それぞれについての波長と画素の位置との関係に基づいて、前記第２の分光センサにより測色される分光反射率の、前記第１の分光センサにより測色される分光反射率に対する波長のずれを補正することを特徴とする波長校正方法。
【請求項２】
前記波長ずれ検出工程は、前記波長ずれ検出工程により導出された、前記複数の波長校正試料それぞれについての波長と画素の位置との関係に基づいて、前記波長と画素の位置との関係を示す多項式近似曲線を導出することを特徴とする請求項１に記載の波長校正方法。
【請求項３】
前記基準となる第１の分光センサと、前記校正の対象となる第２の分光センサは、共に印刷装置に搭載された同機種の分光センサであることを特徴とする請求項１又は２に記載の波長校正方法。
【請求項４】
前記基準となる第１の分光センサは、印刷装置とは別の基準測色機が備える分光センサであり、
前記校正の対象となる第２の分光センサは、印刷装置に搭載された分光センサであることを特徴とする請求項１又は２に記載の波長校正方法。
【請求項５】
前記波長校正試料は、印刷装置で印刷したパッチ、又は波長校正用チャートであることを特徴とする請求項１〜４の何れか１項に記載の波長校正方法。
【請求項６】
前記パッチは、分光反射率の傾斜している領域の傾きが急峻である高彩度色であることを特徴とする請求項５に記載の波長校正方法。
【請求項７】
基準となる第１の分光センサによる、媒体上に形成されている複数の波長校正試料の測色の結果に基づいて、前記複数の波長校正試料それぞれについて第１の分光反射率を導出する第１の分光反射率導出手段と、
校正の対象となる第２の分光センサによる、前記媒体上に形成されている複数の波長校正試料の測色の結果に基づいて、前記複数の波長校正試料それぞれについて第２の分光反射率を導出する第２の分光反射率導出手段と、
前記複数の波長校正試料それぞれについて、前記第１の分光反射率と前記第２の分光反射率との傾斜している傾斜領域を特定する特定手段と、
前記複数の波長校正試料それぞれについて、前記特定手段により特定された傾斜領域内を通過する、前記第１の分光反射率と前記第２の分光反射率との波長ずれを検出するための複数の検出ラインを定める定義手段と、
前記複数の波長校正試料それぞれについて、前記定義手段で定められた複数の検出ラインに沿って、前記第１の分光反射率と、前記第２の分光反射率との波長のずれを検出する波長ずれ検出手段と、
前記波長ずれ検出手段により検出された複数の波長のずれに基づいて、前記第２の分光センサにより測色される分光反射率の、前記第１の分光センサにより測色される分光反射率に対する波長のずれを補正する波長ずれ補正手段と、
前記波長のずれが補正された前記第２の分光反射率に基づいて、色変換ルックアップテーブルを生成又は更新する色変換ルックアップテーブル生成更新手段と、を有し、
前記波長ずれ検出手段は、前記第１の分光反射率と、前記複数の検出ラインとの交点から前記第１の分光センサの受光素子で検出された波長を求めると共に、前記第２の分光反射率と、前記複数の検出ラインとの交点から、前記第２の分光センサの受光素子の画素の位置を求め、求めた波長と画素の位置との関係を前記複数の波長校正試料それぞれについて導出し、
前記波長ずれ補正手段は、前記波長ずれ検出手段により導出された、前記複数の波長校正試料それぞれについての波長と画素の位置との関係に基づいて、前記第２の分光センサにより測色される分光反射率の、前記第１の分光センサにより測色される分光反射率に対する波長のずれを補正することを特徴とする印刷装置。
【請求項８】
前記波長ずれ検出手段は、前記波長ずれ検出手段により導出された、前記複数の波長校正試料それぞれについての波長と画素の位置との関係に基づいて、前記波長と画素の位置との関係を示す多項式近似曲線を導出することを特徴とする請求項７に記載の印刷装置。
【請求項９】
前記基準となる第１の分光センサと、前記校正の対象となる第２の分光センサとを共に備えることを特徴とする請求項７又は８に記載の印刷装置。
【請求項１０】
前記校正の対象となる第２の分光センサを備え、
前記基準となる第１の分光センサは、外部の基準測色機が備える分光センサであることを特徴とする請求項７又は８に記載の印刷装置。
【請求項１１】
前記波長校正試料は、前記印刷装置で印刷したパッチ、又は波長校正用標準チャートであることを特徴とする請求項７〜１０の何れか１項に記載の印刷装置。
【請求項１２】
前記パッチは、分光反射率の傾斜している領域の傾きが急峻である高彩度色であることを特徴とする請求項１１に記載の印刷装置。
【請求項１３】
前記波長校正試料は、波長校正用標準チャートであり、
前記分光反射率による測色を行うために、前記波長校正用標準チャートを、定着器の動作を止めた状態で搬送する手段と、前記分光反射率による測色を行うために、前記波長校正用標準チャートを、定着器を通さずに搬送する手段と、の何れかを有することを特徴とする請求項１１に記載の印刷装置。
【請求項１４】
基準となる第１の分光センサによる、媒体上に形成されている複数の波長校正試料の測色の結果に基づいて、前記複数の波長校正試料それぞれについて第１の分光反射率を導出する第１の分光反射率導出工程と、
校正の対象となる第２の分光センサによる、前記媒体上に形成されている複数の波長校正試料の測色の結果に基づいて、前記複数の波長校正試料それぞれについて第２の分光反射率を導出する第２の分光反射率導出工程と、
前記複数の波長校正試料それぞれについて、前記第１の分光反射率と前記第２の分光反射率との傾斜している傾斜領域を特定する特定工程と、
前記複数の波長校正試料それぞれについて、前記特定工程により特定された傾斜領域内を通過する、前記第１の分光反射率と前記第２の分光反射率との波長ずれを検出するための複数の検出ラインを定める定義工程と、
前記複数の波長校正試料それぞれについて、前記定義工程で定められた複数の検出ラインに沿って、前記第１の分光反射率と、前記第２の分光反射率との波長のずれを検出する波長ずれ検出工程と、
前記波長ずれ検出工程により検出された複数の波長のずれに基づいて、前記第２の分光センサにより測色される分光反射率の、前記第１の分光センサにより測色される分光反射率に対する波長のずれを補正する波長ずれ補正工程と、をコンピュータに実行させ、
前記波長ずれ検出工程は、前記第１の分光反射率と、前記複数の検出ラインとの交点から前記第１の分光センサの受光素子で検出された波長を求めると共に、前記第２の分光反射率と、前記複数の検出ラインとの交点から、前記第２の分光センサの受光素子の画素の位置を求め、求めた波長と画素の位置との関係を前記複数の波長校正試料それぞれについて導出し、
前記波長ずれ補正工程は、前記波長ずれ検出工程により導出された、前記複数の波長校正試料それぞれについての波長と画素の位置との関係に基づいて、前記第２の分光センサにより測色される分光反射率の、前記第１の分光センサにより測色される分光反射率に対する波長のずれを補正することを特徴とするコンピュータプログラム。
【手続補正２】
【補正対象書類名】明細書
【補正対象項目名】０００７
【補正方法】変更
【補正の内容】
【０００７】
本発明の波長校正方法は、基準となる第１の分光センサによる、媒体上に形成されている複数の波長校正試料の測色の結果に基づいて、前記複数の波長校正試料それぞれについて第１の分光反射率を導出する第１の分光反射率導出工程と、校正の対象となる第２の分光センサによる、前記媒体上に形成されている複数の波長校正試料の測色の結果に基づいて、前記複数の波長校正試料それぞれについて第２の分光反射率を導出する第２の分光反射率導出工程と、前記複数の波長校正試料それぞれについて、前記第１の分光反射率と前記第２の分光反射率との傾斜している傾斜領域を特定する特定工程と、前記複数の波長校正試料それぞれについて、前記特定工程により特定された傾斜領域内を通過する、前記第１の分光反射率と前記第２の分光反射率との波長ずれを検出するための複数の検出ラインを定める定義工程と、前記複数の波長校正試料それぞれについて、前記定義工程で定められた複数の検出ラインに沿って、前記第１の分光反射率と、前記第２の分光反射率との波長のずれを検出する波長ずれ検出工程と、前記波長ずれ検出工程により検出された複数の波長のずれに基づいて、前記第２の分光センサにより測色される分光反射率の、前記第１の分光センサにより測色される分光反射率に対する波長のずれを補正する波長ずれ補正工程と、を有し、前記波長ずれ検出工程は、前記第１の分光反射率と、前記複数の検出ラインとの交点から前記第１の分光センサの受光素子で検出された波長を求めると共に、前記第２の分光反射率と、前記複数の検出ラインとの交点から、前記第２の分光センサの受光素子の画素の位置を求め、求めた波長と画素の位置との関係を前記複数の波長校正試料それぞれについて導出し、前記波長ずれ検出工程は、前記波長ずれ検出工程により導出された、前記複数の波長校正試料それぞれについての波長と画素の位置との関係に基づいて、前記第２の分光センサにより測色される分光反射率の、前記第１の分光センサにより測色される分光反射率に対する波長のずれを補正することを特徴とする。
【手続補正３】
【補正対象書類名】明細書
【補正対象項目名】０００８
【補正方法】変更
【補正の内容】
【０００８】
本発明によれば、印刷装置で所望の色を出力するために使用される色変換ルックアップテーブルを生成・更新するための分光センサにより検出される光の波長を、特別なセンサを用いることなく正確に且つ容易に校正することができる。